【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
第１の条件が満たされるかどうかを判定することであって、前記第１の条件が、コーディングユニット（ＣＵ）のＲＱＴの現在のＲＱＴノードの任意の兄弟残差４分木（ＲＱＴ）ノードが有意ルーマ係数ブロックに関連付けられているときに満たされることと、
第２の条件が満たされるかどうかを判定することであって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされることと、
前記第１の条件も前記第２の条件も満たされないときに、ルーマコード化ブロックフラグ（ＣＢＦ）がビットストリームに含まれていないと判定することと、
前記ルーマＣＢＦが前記ビットストリームに含まれていないときまたは前記ビットストリームにおいてルーマ係数ブロックのシンタックス要素がシグナリングされていることを前記ルーマＣＢＦが示すときに、前記ビットストリームから前記ルーマ係数ブロックの前記シンタックス要素を抽出することと、
前記ルーマ係数ブロックに少なくとも部分的に基づいて前記ＣＵのサンプルブロックを再構成することと、を備える方法。
【請求項２】
前記第１の条件または前記第２の条件のいずれかが満たされると判定したことに応答して、前記ビットストリームから前記ルーマＣＢＦを抽出することをさらに備える、請求項１に記載の方法。
【請求項３】
前記親ＲＱＴノードの前記クロマ変換ブロックは、前記現在のＲＱＴノードのルーマ変換ブロックのサイズが最小変換サイズよりも大きいときに前記親ＲＱＴノードの前記ルーマ変換ブロックと一緒に分割される、請求項１に記載の方法。
【請求項４】
前記親ＲＱＴノードの前記クロマ変換ブロックは、前記親ＲＱＴノードの前記クロマ変換ブロックのサイズがクロマ変換ブロックの最小変換サイズよりも大きいときに前記親ＲＱＴノードの前記ルーマ変換ブロックと一緒に分割される、請求項１に記載の方法。
【請求項５】
前記ルーマＣＢＦが前記ビットストリームに含まれておりかつ前記ビットストリームにおいて前記ルーマ係数ブロックのシンタックス要素がシグナリングされていないことを前記ルーマＣＢＦが示すときに、前記ルーマ係数ブロックのすべての変換係数が非有意であると判定することをさらに備える、請求項１に記載の方法。
【請求項６】
前記ルーマＣＢＦは第４のルーマＣＢＦであり、
前記有意ルーマ係数ブロックは第４の有意ルーマ係数ブロックであり、
前記方法は、第１のルーマＣＢＦ、第２のルーマＣＢＦ、および第３のルーマＣＢＦの値を求めることであって、前記第１のルーマＣＢＦが、前記兄弟ＲＱＴノードのうちの第１の兄弟ＲＱＴノードが第１の有意ルーマ係数ブロックに関連付けられているかどうかを示し、前記第２のルーマＣＢＦが、前記兄弟ＲＱＴノードのうちの第２の兄弟ＲＱＴノードが第２の有意ルーマ係数ブロックに関連付けられているかどうかを示し、前記第３のルーマＣＢＦが、前記兄弟ＲＱＴノードのうちの第３の兄弟ＲＱＴノードが第３の有意ルーマ係数ブロックに関連付けられているかどうかを示すことをさらに備え、
前記第１の条件が満たされるかどうかを判定することは、前記第１のルーマＣＢＦ、前記第２のルーマＣＢＦ、および前記第３のルーマＣＢＦに少なくとも部分的に基づいて、前記兄弟ＲＱＴノードのいずれかが有意ルーマ係数ブロックに関連付けられているかどうかを判定することを備える、請求項１に記載の方法。
【請求項７】
前記第２の条件が満たされるかどうかを判定することは、
前記親ＲＱＴノードのＣｂ  ＣＢＦが、前記親ＲＱＴノードが有意Ｃｂ係数ブロックに関連付けられていることを示すかまたは前記親ＲＱＴノードのＣｒ  ＣＢＦが、前記親ＲＱＴノードが有意Ｃｒ係数ブロックに関連付けられていることを示し、かつ
前記現在のＲＱＴノードの前記ルーマ変換ブロックのサイズが最小変換サイズよりも大きいときに、
前記第２の条件が満たされると判定することを備える、請求項１に記載の方法。
【請求項８】
前記現在のＲＱＴノード、前記兄弟ＲＱＴノード、および前記親ＲＱＴノードはピクチャのコーディングユニット（ＣＵ）のＲＱＴ内に存在し、
前記ピクチャのビデオコーディングフォーマットはＹＵＶ４：２：０、ＹＵＶ４：２：２、またはＹＵＶ４：４：４である、請求項１に記載の方法。
【請求項９】
前記現在のＲＱＴノードが有意ルーマ係数ブロックに関連付けられているときに、
前記有意ルーマ係数ブロックの変換係数レベルを前記ビットストリームから抽出することと、
前記変換係数レベルを逆量子化することと、
前記変換係数レベルに逆変換を適用して変換ブロックを生成することと、
前記変換ブロックに少なくとも部分的に基づいてコーディングブロックを生成することと、
前記コーディングブロックを出力することと、をさらに備える、請求項１に記載の方法。
【請求項１０】
ビデオ復号デバイスであって、
ビデオデータを記憶するデータ記憶媒体と、
前記データ記憶媒体に結合された１つまたは複数のプロセッサとを備え、前記１つまたは複数のプロセッサは、
第１の条件が満たされるかどうかを判定することであって、前記第１の条件が、コーディングユニット（ＣＵ）のＲＱＴの現在のＲＱＴノードの任意の兄弟残差４分木（ＲＱＴ）ノードが有意ルーマ係数ブロックに関連付けられているときに満たされることと、
第２の条件が満たされるかどうかを判定することであって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされることと、
前記第１の条件も前記第２の条件も満たされないときに、ルーマコード化ブロックフラグ（ＣＢＦ）がビットストリームに含まれていないと判定することと、
前記ルーマＣＢＦが前記ビットストリームに含まれていないときまたは前記ビットストリームにおいてルーマ係数ブロックのシンタックス要素がシグナリングされていることを前記ルーマＣＢＦが示すときに、前記ビットストリームから前記ルーマ係数ブロックの前記シンタックス要素を抽出することと、
前記ルーマ係数ブロックに少なくとも部分的に基づいて前記ＣＵのサンプルブロックを再構成することと、を行うように構成されるビデオ復号デバイス。
【請求項１１】
前記１つまたは複数のプロセッサは、前記第１の条件または前記第２の条件のいずれかが満たされると判定したことに応答して、前記ビットストリームから前記ルーマＣＢＦを抽出するようにさらに構成される、請求項１０に記載のビデオ復号デバイス。
【請求項１２】
前記親ＲＱＴノードの前記クロマ変換ブロックは、前記現在のＲＱＴノードのルーマ変換ブロックのサイズが最小変換サイズよりも大きいときに前記親ＲＱＴノードの前記ルーマ変換ブロックと一緒に分割される、請求項１０に記載のビデオ復号デバイス。
【請求項１３】
前記親ＲＱＴノードの前記クロマ変換ブロックは、前記親ＲＱＴノードの前記クロマ変換ブロックのサイズがクロマ変換ブロックの最小変換サイズよりも大きいときに前記親ＲＱＴノードの前記ルーマ変換ブロックと一緒に分割される、請求項１０に記載のビデオ復号デバイス。
【請求項１４】
前記１つまたは複数のプロセッサは、前記ルーマＣＢＦが前記ビットストリームに含まれておりかつ前記ビットストリームにおいて前記ルーマ係数ブロックのシンタックス要素がシグナリングされていないことを前記ルーマＣＢＦが示すときに、前記ルーマ係数ブロックのすべての変換係数が非有意であると判定するように構成される、請求項１０に記載のビデオ復号デバイス。
【請求項１５】
前記ルーマＣＢＦは第４のルーマＣＢＦであり、
前記有意ルーマ係数ブロックは第４の有意ルーマ係数ブロックであり、
前記１つまたは複数のプロセッサは、第１のルーマＣＢＦ、第２のルーマＣＢＦ、および第３のルーマＣＢＦの値を求めることであって、前記第１のルーマＣＢＦが、前記兄弟ＲＱＴノードのうちの第１の兄弟ＲＱＴノードが第１の有意ルーマ係数ブロックに関連付けられているかどうかを示し、前記第２のルーマＣＢＦが、前記兄弟ＲＱＴノードのうちの第２の兄弟ＲＱＴノードが第２の有意ルーマ係数ブロックに関連付けられているかどうかを示し、前記第３のルーマＣＢＦが、前記兄弟ＲＱＴノードのうちの第３の兄弟ＲＱＴノードが第３の有意ルーマ係数ブロックに関連付けられているかどうかを示すことを行うようにさらに構成され、
前記第１の条件が満たされるかどうかを判定するために、前記１つまたは複数のプロセッサは、前記第１のルーマＣＢＦ、前記第２のルーマＣＢＦ、および前記第３のルーマＣＢＦに少なくとも部分的に基づいて、前記兄弟ＲＱＴノードのいずれかが有意ルーマ係数ブロックに関連付けられているかどうかを判定する、請求項１０に記載のビデオ復号デバイス。
【請求項１６】
前記第２の条件が満たされるかどうかを判定するために、前記１つまたは複数のプロセッサは、
前記親ＲＱＴノードのＣｂ  ＣＢＦが、前記親ＲＱＴノードが有意Ｃｂ係数ブロックに関連付けられていることを示すかまたは前記親ＲＱＴノードのＣｒ  ＣＢＦが、前記親ＲＱＴノードが有意Ｃｒ係数ブロックに関連付けられていることを示し、かつ
前記現在のＲＱＴノードの前記ルーマ変換ブロックのサイズが最小変換サイズよりも大きいときに、
前記第２の条件が満たされると判定する、請求項１０に記載のビデオ復号デバイス。
【請求項１７】
前記現在のＲＱＴノード、前記兄弟ＲＱＴノード、および前記親ＲＱＴノードはピクチャのコーディングユニット（ＣＵ）のＲＱＴ内に存在し、
前記ピクチャのビデオコーディングフォーマットはＹＵＶ４：２：０、ＹＵＶ４：２：２、またはＹＵＶ４：４：４である、請求項１０に記載のビデオ復号デバイス。
【請求項１８】
前記１つまたは複数のプロセッサは、前記現在のＲＱＴノードが有意ルーマ係数ブロックに関連付けられているときに、
前記有意ルーマ係数ブロックの変換係数レベルを前記ビットストリームから抽出することと、
前記変換係数レベルを逆量子化することと、
前記変換係数レベルに逆変換を適用して変換ブロックを生成することと、
前記変換ブロックに少なくとも部分的に基づいてコーディングブロックを生成することと、
前記コーディングブロックを出力することと、を行うように構成される、請求項１０に記載のビデオ復号デバイス。
【請求項１９】
第１の条件が満たされるかどうかを判定するための手段であって、前記第１の条件が、コーディングユニット（ＣＵ）のＲＱＴの現在のＲＱＴノードの任意の兄弟残差４分木（ＲＱＴ）ノードが有意ルーマ係数ブロックに関連付けられているときに満たされる手段と、
第２の条件が満たされるかどうかを判定するための手段であって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされる手段と、
前記第１の条件も前記第２の条件も満たされないときに、ルーマコード化ブロックフラグ（ＣＢＦ）がビットストリームに含まれていないと判定するための手段と、
前記ルーマＣＢＦが前記ビットストリームに含まれていないときまたは前記ビットストリームにおいてルーマ係数ブロックのシンタックス要素がシグナリングされていることを前記ルーマＣＢＦが示すときに、前記ビットストリームから前記ルーマ係数ブロックの前記シンタックス要素を抽出するための手段と、
前記ルーマ係数ブロックに少なくとも部分的に基づいて前記ＣＵのサンプルブロックを再構成するための手段と、を備えるビデオ復号デバイス。
【請求項２０】
前記第１の条件または前記第２の条件のいずれかが満たされると判定したことに応答して、前記ビットストリームから前記ルーマＣＢＦを抽出するための手段をさらに備える、請求項１９に記載のビデオ復号デバイス。
【請求項２１】
ビデオ復号デバイスの１つまたは複数のプロセッサによって実行されたときに、前記ビデオ復号デバイスを、
第１の条件が満たされるかどうかを判定することであって、前記第１の条件が、コーディングユニット（ＣＵ）のＲＱＴの現在のＲＱＴノードの任意の兄弟残差４分木（ＲＱＴ）ノードが有意ルーマ係数ブロックに関連付けられているときに満たされることと、
第２の条件が満たされるかどうかを判定することであって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされることと、
前記第１の条件も前記第２の条件も満たされないときに、ルーマコード化ブロックフラグ（ＣＢＦ）がビットストリームに含まれていないと判定することと、
前記ルーマＣＢＦが前記ビットストリームに含まれていないときまたは前記ビットストリームにおいてルーマ係数ブロックのシンタックス要素がシグナリングされていることを前記ルーマＣＢＦが示すときに、前記ビットストリームから前記ルーマ係数ブロックの前記シンタックス要素を抽出することと、
前記ルーマ係数ブロックに少なくとも部分的に基づいて前記ＣＵのサンプルブロックを再構成することと、を行うように構成する命令が記憶された非一時的なコンピュータ可読記憶媒体。
【請求項２２】
前記命令の実行は、前記ビデオ復号デバイスを、前記第１の条件または前記第２の条件のいずれかが満たされると判定したことに応答して、前記ビットストリームから前記ルーマＣＢＦを抽出するようにさらに構成する、請求項２１に記載の非一時的なコンピュータ可読記憶媒体。
【請求項２３】
ビデオデータを符号化する方法であって、
第１の条件が満たされるかどうかを判定することであって、前記第１の条件が、現在のＲＱＴノードの任意の兄弟残差４分木（ＲＱＴ）ノードが有意ルーマ係数ブロックに関連付けられているときに満たされることと、
第２の条件が満たされるかどうかを判定することであって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされることと、
前記第１の条件または前記第２の条件のいずれかが満たされると判定したことに応答して、前記現在のＲＱＴノードが有意ルーマ係数ブロックに関連付けられているかどうかを示すルーマコード化ブロックフラグ（ＣＢＦ）をビットストリームに含めることと、
前記ビットストリームを出力することと、を備える方法。
【請求項２４】
前記第１の条件も前記第２の条件も満たされないと判定したことに応答して、前記ビットストリームに前記ルーマＣＢＦを含めないことをさらに備える、請求項２３に記載の方法。
【請求項２５】
前記親ＲＱＴノードの前記クロマ変換ブロックは、前記親ＲＱＴノードの前記クロマ変換ブロックのサイズがクロマ変換ブロックの最小変換サイズよりも大きいときに前記親ＲＱＴノードの前記ルーマ変換ブロックと一緒に分割される、請求項２３に記載の方法。
【請求項２６】
前記ルーマＣＢＦが前記ビットストリームに含まれておりかつ前記ビットストリームにおいて前記ルーマ係数ブロックのシンタックス要素がシグナリングされていないことを前記ルーマＣＢＦが示すときに、前記ルーマ係数ブロックのすべての変換係数が非有意であると判定する、請求項２３に記載の方法。
【請求項２７】
前記ルーマＣＢＦは第４のルーマＣＢＦであり、
前記有意ルーマ係数ブロックは第４の有意ルーマ係数ブロックであり、
前記方法は、前記第１の条件が満たされるかどうかを判定することは、第１のルーマＣＢＦ、第２のルーマＣＢＦ、および第３のルーマＣＢＦに少なくとも部分的に基づいて、前記兄弟ＲＱＴノードのいずれかが有意ルーマ係数ブロックに関連付けられているかどうかを判定することであって、前記第１のルーマＣＢＦが、前記兄弟ＲＱＴノードのうちの第１の兄弟ＲＱＴノードが第１の有意ルーマ係数ブロックに関連付けられているかどうかを示し、前記第２のルーマＣＢＦが、前記兄弟ＲＱＴノードのうちの第２の兄弟ＲＱＴノードが第２の有意ルーマ係数ブロックに関連付けられているかどうかを示し、前記第３のルーマＣＢＦが、前記兄弟ＲＱＴノードのうちの第３の兄弟ＲＱＴノードが第３の有意ルーマ係数ブロックに関連付けられているかどうかを示すことを備える、をさらに備える請求項２３に記載の方法。
【請求項２８】
前記第２の条件が満たされるかどうかを判定することは、前記第２の条件が、
前記親ＲＱＴノードのＣｂ  ＣＢＦが、前記親ＲＱＴノードが有意Ｃｂ係数ブロックに関連付けられていることを示すかまたは前記親ＲＱＴノードのＣｒ  ＣＢＦが、前記親ＲＱＴノードが有意Ｃｒ係数ブロックに関連付けられていることを示し、かつ
前記現在のＲＱＴノードの前記ルーマ変換ブロックのサイズが最小変換サイズよりも大きいときに満たされると判定することを備える、請求項２３に記載の方法。
【請求項２９】
前記現在のＲＱＴノード、前記兄弟ＲＱＴノード、および前記親ＲＱＴノードはピクチャのコーディングユニット（ＣＵ）のＲＱＴ内に存在し、
前記ピクチャのビデオコーディングフォーマットはＹＵＶ４：２：０、ＹＵＶ４：２：２、またはＹＵＶ４：４：４である、請求項２３に記載の方法。
【請求項３０】
ビデオ符号化デバイスであって、
ビデオデータを記憶するデータ記憶媒体と、
前記データ記憶媒体に結合された１つまたは複数のプロセッサとを備え、前記１つまたは複数のプロセッサが、
第１の条件が満たされるかどうかを判定することであって、前記第１の条件が、現在のＲＱＴノードの任意の兄弟残差４分木（ＲＱＴ）ノードが有意ルーマ係数ブロックに関連付けられているときに満たされることと、
第２の条件が満たされるかどうかを判定することであって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされることと、
前記第１の条件または前記第２の条件のいずれかが満たされると判定したことに応答して、前記現在のＲＱＴノードが有意ルーマ係数ブロックに関連付けられているかどうかを示すルーマコード化ブロックフラグ（ＣＢＦ）をビットストリームに含めることと、
前記ビットストリームを出力することと、を行うように構成されるビデオ符号化デバイス。
【請求項３１】
前記１つまたは複数のプロセッサは、前記第１の条件も前記第２の条件も満たされないときに、前記ルーマＣＢＦを前記ビットストリームに含めないように構成される、請求項３０に記載のビデオ符号化デバイス。
【請求項３２】
前記親ＲＱＴノードの前記クロマ変換ブロックは、前記現在のＲＱＴノードのルーマ変換ブロックのサイズが最小変換サイズよりも大きいときに前記親ＲＱＴノードの前記ルーマ変換ブロックと一緒に分割される、請求項３０に記載のビデオ符号化デバイス。
【請求項３３】
前記親ＲＱＴノードの前記クロマ変換ブロックは、前記親ＲＱＴノードの前記クロマ変換ブロックのサイズがクロマ変換ブロックの最小変換サイズよりも大きいときに前記親ＲＱＴノードの前記ルーマ変換ブロックと一緒に分割される、請求項３０に記載のビデオ符号化デバイス。
【請求項３４】
前記ルーマＣＢＦは第４のルーマＣＢＦであり、
前記有意ルーマ係数ブロックは第４の有意ルーマ係数ブロックであり、
前記１つまたは複数のプロセッサは、前記第１の条件が満たされるかどうかを判定するために、第１のルーマＣＢＦ、第２のルーマＣＢＦ、および第３のルーマＣＢＦに少なくとも部分的に基づいて、前記兄弟ＲＱＴノードのいずれかが有意ルーマ係数ブロックに関連付けられているかどうかを判定することであって、前記第１のルーマＣＢＦが、前記兄弟ＲＱＴノードのうちの第１の兄弟ＲＱＴノードが第１の有意ルーマ係数ブロックに関連付けられているかどうかを示し、前記第２のルーマＣＢＦが、前記兄弟ＲＱＴノードのうちの第２の兄弟ＲＱＴノードが第２の有意ルーマ係数ブロックに関連付けられているかどうかを示し、前記第３のルーマＣＢＦが、前記兄弟ＲＱＴノードのうちの第３の兄弟ＲＱＴノードが第３の有意ルーマ係数ブロックに関連付けられているかどうかを示すことを行うように構成される、請求項３０に記載のビデオ符号化デバイス。
【請求項３５】
前記１つまたは複数のプロセッサは、前記第２の条件が満たされるかどうかを判定するために、前記第２の条件が、
前記親ＲＱＴノードのＣｂ  ＣＢＦが、前記親ＲＱＴノードが有意Ｃｂ係数ブロックに関連付けられていることを示すかまたは前記親ＲＱＴノードのＣｒ  ＣＢＦが、前記親ＲＱＴノードが有意Ｃｒ係数ブロックに関連付けられていることを示し、かつ
前記現在のＲＱＴノードの前記ルーマ変換ブロックのサイズが最小変換サイズよりも大きいときに満たされると判定するように構成される、請求項３０に記載のビデオ符号化デバイス。
【請求項３６】
前記現在のＲＱＴノード、前記兄弟ＲＱＴノード、および前記親ＲＱＴノードはピクチャのコーディングユニット（ＣＵ）のＲＱＴ内に存在し、
前記ピクチャのビデオコーディングフォーマットはＹＵＶ４：２：０、ＹＵＶ４：２：２、またはＹＵＶ４：４：４である、請求項３０に記載のビデオ符号化デバイス。
【請求項３７】
第１の条件が満たされるかどうかを判定するための手段であって、前記第１の条件が、現在のＲＱＴノードの任意の兄弟残差４分木（ＲＱＴ）ノードが有意ルーマ係数ブロックに関連付けられているときに満たされる手段と、
第２の条件が満たされるかどうかを判定するための手段であって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされる手段と、
前記第１の条件または前記第２の条件のいずれかが満たされると判定したことに応答して、前記現在のＲＱＴノードが有意ルーマ係数ブロックに関連付けられているかどうかを示すルーマコード化ブロックフラグ（ＣＢＦ）をビットストリームに含めるための手段と、
前記ビットストリームを出力するための手段と、を備えるビデオ符号化デバイス。
【請求項３８】
ビデオ符号化デバイスの１つまたは複数のプロセッサによって実行されたときに、前記ビデオ符号化デバイスを、
第１の条件が満たされるかどうかを判定することであって、前記第１の条件が、現在のＲＱＴノードの任意の兄弟残差４分木（ＲＱＴ）ノードが有意ルーマ係数ブロックに関連付けられているときに満たされることと、
第２の条件が満たされるかどうかを判定することであって、前記第２の条件が、前記現在のＲＱＴノードの親ＲＱＴノードのクロマ変換ブロックが有意であり、かつ前記親ＲＱＴノードの前記クロマ変換ブロックが前記親ＲＱＴノードのルーマ変換ブロックと一緒に分割されるときに満たされることと、
前記第１の条件または前記第２の条件のいずれかが満たされると判定したことに応答して、前記現在のＲＱＴノードが有意ルーマ係数ブロックに関連付けられているかどうかを示すルーマコード化ブロックフラグ（ＣＢＦ）をビットストリームに含めることと、
前記ビットストリームを出力することと、を行うように構成する命令が記憶された非一時的なコンピュータ可読記憶媒体。
【請求項３９】
前記ビデオ復号デバイスは、
集積回路、
マイクロプロセッサ、または
ワイヤレスハンドセット
のうちの少なくとも１つを備える、請求項１０に記載のビデオ復号デバイス。
【請求項４０】
前記再構成されたサンプルブロックを含む復号ビデオデータを表示するように構成されたディスプレイをさらに備える、請求項１０に記載のビデオ復号デバイス。
【請求項４１】
前記ビデオ符号化デバイスは、
集積回路、
マイクロプロセッサ、または
ワイヤレスハンドセット
のうちの少なくとも１つを備える、請求項３０に記載のビデオ符号化デバイス。
【請求項４２】
前記ビデオデータをキャプチャするように構成されたカメラをさらに備える、請求項３０に記載のビデオ符号化デバイス。